(57)【要約】【課題】  ヒンジ部に回転位置を設定可能としたヒンジユニットを用いることにより、従来の蓋係止機構を使用しないで、ヒンジユニットの回転力で蓋の閉蓋状態を維持でき、また、任意の角度で蓋の開蓋状態を維持できるようにしたコンパクト容器を提供すること。【解決手段】  容器本体と、容器本体に、左右のヒンジ部により連設される蓋体とからなるコンパクト容器であって、ヒンジ部の少なくとも一方を、回転位置を設定可能としたヒンジユニットとしたことを特徴とする。【選択図】  図１
2006014895.tif 000002
【特許請求の範囲】
【請求項１】
容器本体と、容器本体に、左右のヒンジ部により連設される蓋体とからなるコンパクト容器であって、
ヒンジ部の少なくとも一方を、回転位置を設定可能としたヒンジユニットとしたことを特徴とするコンパクト容器。
【請求項２】
容器本体と、ヒンジユニットにより連設される蓋体の連結部を、ヒンジユニットの安定した回転位置の角度より２０°以下に傾けた位置に設け、
閉蓋時に、常にヒンジユニットの回転力で閉蓋状態を維持するようにしたことを特徴とする請求項１記載のコンパクト容器。
【発明の詳細な説明】
【技術分野】
【０００１】
本発明は、コンパクト容器、とくに容器本体と容器本体にヒンジ部を介して取着される蓋体の回転位置設定機構に関するものである。
【背景技術】
【０００２】
コンパクト容器の開閉蓋の機構に関して、容器本体と蓋体をヒンジ部を介して取着し、ヒンジ部を支点とした廻動により、蓋体の開閉を行うようにすることは従来より周知であり、蓋体の閉状態を維持するとともに簡単に開くことができる蓋係止機構も、従来より知られている（特許文献１参照）。
【特許文献１】特開平１１−９９０１５号公報
【発明の開示】
【発明が解決しようとする課題】
【０００３】
しかしながら、上記特許文献１記載の蓋係止機構は、機構自体の構造が複雑であり、製造コストも高くつくという問題があった。
【０００４】
本発明は、上記の問題点を解決することを課題として、ヒンジ部に回転位置を設定可能としたヒンジユニットを用いることにより、従来の蓋係止機構を使用しないで、ヒンジユニットの回転力で蓋の閉蓋状態を維持でき、また、任意の角度で蓋の開蓋状態を維持できるようにしたコンパクト容器を提供することを目的とする。
【課題を解決するための手段】
【０００５】
本発明は、上記の課題を解決するため、コンパクト容器として、容器本体と、容器本体に、左右のヒンジ部により連設される蓋体とからなるコンパクト容器であって、ヒンジ部の少なくとも一方を、回転位置を設定可能としたヒンジユニットとしたことを特徴とする構成を採用する。
【０００６】
容器本体と蓋体との連結部の実施形態として、容器本体とヒンジユニットにより連設される蓋体の連結部を、ヒンジユニットの安定した回転位置の角度より２０°以下に傾けた位置に設け、閉蓋時に、常にヒンジユニットの回転力で閉蓋状態を維持するようにしたことを特徴とする構成を採用する。
【発明の効果】
【０００７】
コンパクト容器に、回転位置を設定可能としたヒンジユニットを設けたことにより、閉蓋時には、ヒンジユニットの回転力により閉蓋状態を維持でき、開蓋時には、所望の角度で開蓋状態を維持できるようになった。
【発明を実施するための最良の形態】
【０００８】
次に、本発明のコンパクト容器の実施形態について説明する。
図１において、Ａは容器本体、Ｂは容器本体Ａに回転位置を設定可能としたヒンジユニットＣとヒンジピンＤを介して取着された蓋体である。
【０００９】
図１、２に示すように、容器本体Ａは、底壁１と、底壁１の各端縁に立設された前壁２と後壁３、および側壁４ａ，４ｂとからなっている。
前壁２の中央部には、凹部５が設けられている。
【００１０】
容器本体Ａの後壁３の両側には、切欠部６ａ，６ｂが設けられ、切欠部６ａ，６ｂの後壁３側端面から後壁３内方にヒンジユニットＣを嵌入するため、円の上下を平行する直線で切り欠いた形状のヒンジユニット受孔７とヒンジピンＤを挿入するための軸受孔８が、それぞれ穿孔されている。
【００１１】
容器本体Ａ内部には、内部を区分する仕切９が設けられており、仕切９の一方は化粧皿収納部１０であり、他方はパフ収納部１１となっている。
【００１２】
図１、３に示すように、蓋体Ｂは、頂壁１５と、該頂壁１５の端縁から垂設された前壁１６と後壁１７、側壁１８ａ，１８ｂとからなっている。
後壁１７と側壁１８ａ，１８ｂの両側角部には、容器本体Ａの切欠部６ａ，６ｂに対応する連結片１９ａ，１９ｂが垂設されている。
前壁１６下端中央には、閉蓋時に容器本体Ａの凹部５に係合する突出部２０が垂設されている。
頂壁１５の裏面中央には、鏡枠２１が設けられ、その内方に鏡ｍが取着されている。
【００１３】
連結片１９ａの切欠部６ａ側の端面には、ヒンジユニットＣを嵌入するため、円の上下を平行する直線で切り欠いた形状の軸受部２２が、容器本体Ａのヒンジユニット受孔７より５°傾けた角度で穿孔されている。
連結片１９ｂの切欠部６ｂ側の端面には、ヒンジピンＤを取着するため側壁１８ｂ側面まで貫通する軸孔２３が穿孔されており、側壁１８ｂ側には拡径された嵌合部２４を具えている。
【００１４】
図４〜６に示すように、ヒンジユニットＣは、ハウジング３０とガイドピン３１、スプリング３２とカム３３、および、シャフト３４とからなっている。
ハウジング３０は、円の上下を平行する直線で切り欠いた形状の筒状体であり、周壁３５と一端側の開口３６と、他端側の中央にガイド孔３７を穿設した後壁３８とを具えている。
【００１５】
ガイドピン３１は、ハウジング３０のガイド孔３７に挿入されるガイド棒４０と、該ガイド棒４０の先端を鉤状とする縮径された縮径部４１と、後端に、後壁３８に係止される拡径された係止部４２とを具えている。
スプリング３２は、ハウジング３０の周壁３５内周に挿入され、スプリング３２内側にはガイド棒４０が貫通され、両端はほぼ水平面上に位置するように成形されている。
【００１６】
カム３３は、ハウジング３０の周壁３５内周に嵌入され、開口３６と後壁３８との方向に移動自在なベース部４５と、その外側に設けられたカム形状部４６とから形成されており、図５に示すように、カム形状部４６は、山部４６ａと谷部４６ｂとを結ぶ面で連続するようになっており、カム３３の中央部には、ガイド棒４０が貫通する孔４７が穿設されている。
【００１７】
シャフト３４は、カム３３に対向する側の面に、カム形状部４６に対向する山部５０ａと谷部５０ｂとを結ぶ面で連続している形状のカム形状部５０と、カム形状部５０より拡径され、円の上下を平行する直線で切り欠いた形状のシャフト部５１とにより形成されており、カム形状部５０の中央部にガイド棒４０が挿入されるガイド孔５２が穿設され、シャフト部５１の内周には、ガイド棒４０の先端付近の縮径部４１に嵌合する係止部５３が設けられている。
【００１８】
図５．図６（ａ）に示すように、ヒンジユニットＣは、ハウジング３０内のカム３３にスプリング３２の弾撥力が掛かることにより、カム形状部４６の山部４６ａと谷部４６ｂが、シャフト３４のカム形状部５０の谷部５０ｂと山部５０ａと噛み合い、所定の角度位置を維持する。
シャフト部３４を、ハウジング３０に対し一定方向（図６のＡ方向）に回転力を加え、ある程度回転させても、図６（ｂ）に示すよう、シャフト３４のカム形状部５０の山部５０ａがカム３３のカム形状部４６の山部４６ａを越えない限り、回転力を無くすと、回転力を加える前の、図５．図６（ａ）に示す安定した回転位置まで戻って停止するようになる。
【００１９】
ヒンジユニットＣにＡ方向の回転力を加え、図６（ｃ）に示すように、シャフト３４の山部５０ａがカム３３の山部４６ａを越えた位置で、回転力を無くすと、シャフト３４の山部５０ａとカム３３の次の谷部４６ｂが合致して、１８０°回転させた安定した回転位置まで回転して停止するよう作用する。
【００２０】
ヒンジピンＤは、軸部と蓋体Ｂの連結片１９ｂに穿孔された軸孔２３の嵌合部２４に嵌合する拡径された嵌合部とからなっている。
【００２１】
次に、本実施形態のコンパクト容器の組み立てと、作用効果について説明する。
コンパクト容器の組み立てにあたっては、まず、図１〜３に示すように、容器本体Ａの後壁３に穿設されたヒンジユニット受孔７に、ヒンジユニットＣのハウジング３０を、その後壁３８側より嵌挿させる。
【００２２】
蓋体Ｂの裏面を上方に向け、所定角度に傾けた状態で、容器本体Ａに取着したヒンジユニットＣのシャフト部５１の外周に、蓋体Ｂの連結片１９ａに穿設された軸受部２２を嵌挿させる。
【００２３】
蓋体Ｂの連結片１９ｂに穿設した軸孔２３の側壁１９ｂ側より、ヒンジピンＤの軸部先端を挿入し、軸孔２３を貫通させ、容器本体Ａの後壁３の軸受孔８に挿入する。
ヒンジピンＤの拡径された嵌合部は、蓋体Ｂの軸孔２３の嵌合部２４に嵌合させる。
このことにより、蓋体Ｂは、容器本体Ａに廻動自在に取着される。
【００２４】
閉蓋時には、蓋体Ｂの連結片１９ａに穿設した軸受部２２が、容器本体Ａのヒンジユニット受孔７より５°傾けた角度で穿孔されているため、ヒンジユニットＣの安定した回転位置は０°としてあるので、常に０°となる方向に回転力が掛かり、閉蓋状態を維持することとなる。
【００２５】
開蓋時には、容器本体Ａに設けた凹部５と係合する蓋体Ｂに設けた突出部２０の端部に指をかけ、蓋体Ｂをヒンジ側を支点に持ち上げるように回転させていくと、ヒンジユニットＣのシャフト３４の山部５０ａがカム３３の山部４６ａを超えると、所定の安定した回転位置まで回転し、その位置を維持しようとする力が働き、開蓋状態を維持することとなる。
【００２６】
前記実施形態では、ヒンジユニットの安定した回転位置から、次の安定した回転位置までの間隔を１８０°としたが、シャフトとカムとのカム形状部の形状を変えれば、任意の角度で間隔を変えることが可能であり、カム形状部の形状などは、実施形態に限定されない。
【００２７】
また、ヒンジユニットの構成については、前記実施形態のものに限定されることなく、公知の各種のヒンジユニットが使用できる。
【００２８】
前記実施形態では、蓋体Ｂの連結片１９ａに穿設した軸受部２２が、容器本体Ａのヒンジユニット受孔７より５°傾けた角度で穿孔したが、軸受部２２の傾きは、ヒンジユニットの安定した回転位置の角度より２０°以下に傾けた位置であれば閉蓋状態を良好に維持できるが、より好ましくは、４〜７°傾けるように設けるとよい。
なお、２０°を超えて傾けた位置に設けると、閉蓋状体への付勢力が強くなりすぎ、開蓋時の操作性が劣るという問題が生じる場合がある。
【００２９】
前記実施形態では、蓋体を容器本体にヒンジユニットとヒンジピンを介して取着したが、ヒンジピンの代わりにヒンジユニットをもう一つ使用することで、開閉に関する回転力を高めることもでき、ヒンジユニットの数とヒンジピンに関しては、本実施形態に限定されない。
【００３０】
前記実施形態では、容器本体Ａに凹部５を設け、蓋体Ｂに突出部２０を設けたが、開蓋時に、蓋体Ｂの端縁を押上げることができればよいので、突出部２０を設けなくてもよく、また、凹部５と、突出部２０を設けないで、蓋体Ｂの端縁につまみを突出するようにしてもよい。 
【００３１】
次に、ヒンジユニットＣのセット方法の別実施例について説明する。
前記実施形態では、ヒンジユニットＣを容器本体Ａに取着したが、蓋体Ｂの連結片１９ａに取着するようにしてもよい。
その場合には、軸受部２２に変え、ヒンジユニットＣの最大外径より大きな径を有する挿入孔を、蓋体Ｂの連結片１９ａを貫通するように穿孔し、容器本体Ａ側にヒンジユニットの軸受部を穿孔する。
【００３２】
ヒンジユニットＣの取着にあたっては、連結片１９ａの挿入孔に、外側よりヒンジユニットＣをシャフト３４側から挿入し、シャフト部を容器本体Ａ側の軸受部に嵌挿した後に、閉塞部材を用いて挿入孔を閉塞する。
【００３３】
閉塞部材は、挿入孔と同径の外周面を有しており、その中央部には、ヒンジユニット嵌挿孔が穿孔されている。
該嵌挿孔は、開口端がハウジング３０の外形より大きな径を有しており、深部に向かって縮径し、一定の深さより以下はハウジング３０の外形と同形で、容器本体Ａ側の軸受部に対し、所定角度傾けて形成されている。
【００３４】
挿入孔にヒンジユニットを挿入した後に、連結片１９ａの外側より閉塞部材を押し込んでいくと、ヒンジユニットをそのシャフトを回転させるように取着し、挿入孔を閉鎖する。
このことにより、閉蓋状態のままで、ヒンジユニットおよび閉塞部材のセットが容易にできる。
【００３５】
また、閉蓋時に、蓋体を回転方向に傾ける方向に付勢できる方法であれば、ヒンジユニットのセット方法は限定されない、
【００３６】
前記実施形態では、容器本体Ａの後壁の両側に切欠部６ａ、６ｂを設け、該切欠部６ａ、６ｂに蓋体Ｂの連結片１９ａ、１９ｂを嵌挿してヒンジ部により取着するようにしたが、これとは反対に、容器本体Ａの後壁の中央部に切欠部を設け、該切欠部に蓋体Ｂの中央部に設けた連結片を嵌挿し、ヒンジ部により取着するようにしてもよく、ヒンジ部の構成は、実施形態に限定されない。
【産業上の利用可能性】
【００３７】
本願発明のコンパクト容器は、回転位置を設定可能としたヒンジユニットを設けたことにより、開蓋時には、任意の角度で確実に開蓋状態を維持でき、閉蓋時には、係止部が無くても、ヒンジユニットの回転力により閉蓋状態を維持できるようになり、構造的に簡単なものにすることができ、コンパクトばかりではなく、容器の蝶番にかえて幅広く利用することができる。
【図面の簡単な説明】
【００３８】
【図１】本発明コンパクト容器の開蓋状態の説明図で、（ａ）は側面図、（ｂ）は平面図である。
【図２】容器本体の説明図で、（ａ）は側面図、（ｂ）は平面図である。
【図３】蓋体の説明図で、（ａ）は側面図、（ｂ）は平面図である。
【図４】ヒンジユニットの説明図で、（ａ）は上面図、（ｂ）は一部断面側面図、（ｃ）は底面図である。
【図５】ヒンジユニットの安定した回転位置を示すもので、（ａ）は正面断面図、（ｂ）は一部の横断面図である。
【図６】シャフトとカムに設けたカム形状部の展開説明図で、（ａ）は双方の山部と谷部が合致した安定した状態を示す図、（ｂ）はシャフトの山部がカムの山部を越える前の状態図、（ｃ）はシャフトの山部がカムの山部を越えた後の状態図である。
【符号の説明】
【００３９】
Ａ          容器本体
Ｂ          蓋体
Ｃ          ヒンジユニット
Ｄ          ヒンジピン
ｍ          鏡
１          底壁
２          前壁
３          後壁
４ａ，ｂ    側壁
５          凹部
６ａ，ｂ    切欠部
７          ヒンジユニット受孔
８          軸受孔
１５        頂壁
１６        前壁
１７        後壁
１８ａ，ｂ  側壁
１９ａ，ｂ  連結片
２０        突出部
２２        軸受部
２３        軸孔
２４        嵌合部
３０        ハウジング
３１        ガイドピン
３２        スプリング
３３        カム
３４        シャフト
３５        周壁
３６        開口
３７        ガイド孔
３８        後壁
４０        ガイド棒
４１        縮径部
４２        係止部
４５        ベース部
４６、５０  カム形状部
４６ａ、５０ａ  山部
４６ｂ、５０ｂ  谷部    
４７        孔
５１        シャフト部
５２        ガイド孔
５３        係止部
【図１】
2006014895.tif 000003
【図２】
2006014895.tif 000004
【図３】
2006014895.tif 000005
【図４】
2006014895.tif 000006
【図５】
2006014895.tif 000007
【図６】
2006014895.tif 000008